(57)【要約】【課題】  内蔵閃光装置の位置検知スイッチを閃光装置側に設けることで、カメラ本体内の部品配置スペースを広くとる。【解決手段】  カメラ本体にヒンジ１１Ｂを介して回動可能に支持された腕部３２Ｂと、腕部３２Ｂに支持され、腕部３２Ｂの回動により格納位置と使用位置との間で移動する閃光発光部と、腕部３２Ｂ内に設けられ、閃光発光部が収納位置にあるときと使用位置にあるときとでオン・オフ状態が切換わる位置検知スイッチＳＷとを具備する。位置検知スイッチＳＷは、腕部３２Ｂ内に配置された一対のスイッチ切片４１，４２から構成され、一方のスイッチ切片４２が腕部３２Ｂの回動に連動して弾性変形されることでオン・オフ状態が切換わる。切片４２を弾性弾性変形させるスイッチ操作部１１ｃは、上記ヒンジ１１Ｂに一体に設けられる。【選択図】        図４
2005164933.tif 000002
【特許請求の範囲】
【請求項１】
カメラ本体にヒンジを介して回動可能に支持された腕部と、
該腕部に支持され、腕部の回動により格納位置と使用位置との間で移動する閃光発光部と、
前記腕部内に設けられ、前記閃光発光部が収納位置にあるときと使用位置にあるときとでオン・オフ状態が切換わる位置検知スイッチとを具備することを特徴とする閃光装置内蔵カメラ。
【請求項２】
前記位置検知スイッチは、前記腕部内に配置された一対のスイッチ切片から成り、一方のスイッチ切片が前記腕部の回動に連動して弾性変形されることでオン・オフ状態が切換わるよう構成されていることを特徴とする請求項１に記載の閃光装置内蔵カメラ。
【請求項３】
前記ヒンジには、前記一方の切片を弾性変形させるスイッチ操作部が一体に設けられていることを特徴とする請求項１または２に記載の閃光装置内蔵カメラ。
【発明の詳細な説明】
【技術分野】
【０００１】
本発明は、閃光発光部が格納位置と使用位置との間で移動可能な閃光装置を内蔵するカメラに関する。
【背景技術】
【０００２】
この種の閃光装置内蔵カメラとして、例えば特許文献１に開示されたものがある。閃光装置の発光部は、腕部を介してカメラ本体に連結され、腕部の回動により格納位置と使用位置との間で移動可能とされる。発光部が格納位置にあるか使用位置にあるかをカメラ側で認識する必要があるため、カメラ本体（ペンタ部）内に位置検知スイッチを設けている。
【０００３】
【特許文献１】特開２００１−３０５６２６号公報
【発明の開示】
【発明が解決しようとする課題】
【０００４】
特許文献１には、位置検知スイッチの構造がいくつか記載されているが、いずれもスイッチ部品がカメラ本体内に配置される構成のため、その配置スペースの分だけカメラ本体内のスペースが狭くなり、他部品の配置の自由度が低下するという欠点がある。
【課題を解決するための手段】
【０００５】
本発明に係る閃光装置内蔵カメラは、カメラ本体にヒンジを介して回動可能に支持された腕部と、腕部に支持され、腕部の回動により格納位置と使用位置との間で移動する閃光発光部と、腕部内に設けられ、閃光発光部が収納位置にあるときと使用位置にあるときとでオン・オフ状態が切換わる位置検知スイッチとを具備する。
請求項２の発明は、位置検知スイッチを腕部内に配置された一対のスイッチ切片から構成し、一方のスイッチ切片が腕部の回動に連動して弾性変形されることでオン・オフ状態が切換わるよう構成したものである。
請求項３の発明は、一方の切片を弾性変形させるスイッチ操作部を前記ヒンジに一体に設けたものである。
【発明の効果】
【０００６】
本発明によれば、閃光発光部が収納位置にあるときと使用位置にあるときとでオン・オフ状態が切換わる位置検知スイッチを上記腕部に設けたので、カメラ本体内にスイッチを設ける場合と比べて本体内への他部品の配置の自由度を高くできる。
【発明を実施するための最良の形態】
【０００７】
図１〜図７により本発明の一実施の形態を説明する。
図１は本実施形態における一眼レフカメラの上部を示す側面断面図、図２は背面側から見た断面図である。カメラ本体１０の上面には、ファインダ光学系の一部を収容する膨出部（いわゆるペンタ部）１１が設けられている。ファインダ光学系は、フォーカシングスクリーン２１と、ペンタプリズム２２と、接眼レンズブロック２３に保持された接眼レンズ２３ａとを有し、接眼レンズブロック２３の上方にはＡＥレンズ２４およびＡＥユニット２５が設けられている。ファインダに入射した光束は、スクリーン２１、ペンタプリズム２２を介して接眼レンズ２３にて観察されるとともに、一部の光はＡＥレンズ２４を介してＡＥユニット２５に導かれ、被写界の測光に寄与する。なお、１２はカメラ上カバーである。
【０００８】
内蔵閃光装置３０は、発光管としてのキセノン管３１ａやリフレクタ３１ｂなどから成る閃光発光部（以下、単に発光部）３１と、その発光部３１の収容空間および一対の腕部３２Ａ，３２Ｂを構成する上下のケース３３，３４とを有し、全体として略コ字状を呈す。一対の腕部３２Ａ，３２Ｂは、ペンタ部１１の両側面に固定されたヒンジ１１Ａ，１１Ｂにそれぞれ回動可能に支持され、これら腕部３２Ａ，３２Ｂの回動により発光部３１は格納位置と使用位置との間で移動する。格納位置にある発光部３１は、図１の如くペンタ部１１の前部に沿う姿勢を保持し、使用位置ではペンタ部１１の上方に突出する。なお、ペンタ部１１の上面には、外付け閃光装置を装着するためのホットシュー１３が設けられている。
【０００９】
図２の左側の腕部３２Ａを支持するヒンジ１１Ａにはねじりばね３５が外挿され、ばね３５の付勢力により閃光装置３０は上方に、つまり発光部３１を使用位置にもたらす方向に常に付勢される。格納位置では閃光装置３０がカメラ本体１０に係止されており、その係止を解除すると、ねじりばね３５の付勢力によって発光部３１が自動的に使用位置までポップアップする。
ここで、発光部３１からの照明光のケラレを防止するには、発光部３１をなるべく高い位置で発光させる必要があり、発光部３１を高い位置にもたらすには腕部３２Ａ，３２Ｂの回動角を大きくする必要がある。  
【００１０】
次に、内蔵閃光装置３０の位置検知スイッチについて説明する。
位置検知スイッチＳＷは、図２の右側の腕部３２Ｂに内蔵される２つの板ばね状のスイッチ切片４１，４２から成る。図３，図４に示すように、一対の切片４１，４２は、その基端側が平行となるように上下に配置され、上側切片４１の先端には接触部４１ａが設けられている。下側切片４２の先端は、上方に大きく立ち上げられ、その先端に折り曲げ部４２ａが設けられている。
【００１１】
一方、腕部３２Ｂを支持するヒンジ１１Ｂには、下側切片４２を変形させるためのスイッチ操作ピン１１ｃが突設されている。ヒンジ１１Ｂは中空状とされ、その内部を通してリード線の引き回しが可能である。図示はしていないが、一対の切片４１，４２にはそれぞれリード線が接続され、これらのリード線がヒンジ１１Ｂ内を通ってカメラ本体１０の回路に接続されている。これによりカメラ本体側のマイコンは、切片４１，４２の接触の有無、つまり位置検知スイッチＳＷのオン・オフ状態を認識できる。なお、閃光発光用のリード線や発光量検知用のリード線（いずれも不図示）もヒンジ１１Ｂを通って発光部３１とカメラ本体１０とを電気的に接続する。
【００１２】
図４は発光部３１が格納位置にある状態を示している。スイッチ切片４２はピン１１ｃと接触しておらず、切片４１，４２同士も非接触状態（オフ状態）を保持している。この状態で閃光装置３０のカメラ本体１０への係止を解除すると、ねじりばね３５の付勢力により腕部３２Ａ，３２Ｂが図示反時計回りに回動し、発光部３１が使用位置に向けて移動し始める。ヒンジ１１Ａ，１１Ｂはカメラ本体１０に固定されているから、腕部３２Ｂが回動してもヒンジ１１Ｂに一体化されたピン１１ｃは不動であり、スイッチ切片４１，４２がピン１１ｃに対して移動することになる。
【００１３】
図５は腕部３２Ｂがある程度回動し、切片４２の折り曲げ部４２ａの先端がピン１１ｃに当接した瞬間を示している。これ以降は、腕部３２Ｂの回動に従ってピン１１ｃが切片４２を切片４１側に弾性変形させ、図６の位置まで回動すると、弾性変形された切片４２が切片４１の接触部４１ａに接触し、スイッチＳＷがオンとなる。図７は発光部３１が使用位置に達したときの状態を示し、スイッチＳＷはオン状態を維持している。この状態では切片４１も切片４２に押されて変形しており、両切片４１，４２の接触圧は大きいため、カメラに加わる衝撃等によって不所望にスイッチＳＷがオフする心配はない。
【００１４】
発光部３１を使用位置から格納位置に移動させる際は上述と逆の動作となる。すなわち図７の状態から図６の状態に向かうに従って、ピン１１ｃは相対的に切片４２から離れる方向に移動することになるので、切片４２は弾性力によってピン１１ｃに追従し、図６の状態を過ぎると切片４１から退避することでスイッチオフとなる。切片４２は図５の状態までピン１１ｃに追従し、それ以降はピン１１ｃから離れ、図４の状態に至る。
【００１５】
このように本実施形態では、位置検知スイッチＳＷがペンタ部１１ではなく、閃光装置３０の一方の腕部２３Ｂに設けられているので、ペンタ部内の空間を広くとることができ、ペンタ部１１を大型化することなくＡＥユニット２５を支障なく配置できる。一方、腕部２３Ｂ内のヒンジ近傍は、通常は何も配置されない空間であり、しかもスイッチＳＷは２つの板ばね状の切片４１，４２のみで構成されているので、上記空間にスイッチＳＷを配置するにあたって腕部２３Ｂを大型化させる必要はない。さらに、ヒンジ１１Ｂに設けたピン１１ｃで切片４２を変形させる構成としたので、スイッチＳＷをオン・オフするための操作機構も最小限の構成で済む。
【００１６】
因みに、位置検知スイッチＳＷの構成部品をペンタ部１１内に配置した場合には、ＡＥユニット２５を配置するにあたってペンタ部１１を大型化する必要がある。あるいは小型のＡＥユニットしか配置できず、この場合は所望の測光性能が得られなくなる。
【００１７】
さらに本実施形態の構造によれば、腕部２３Ｂの回動角、換言すれば発光部３１の使用高さ位置の変更に対しても、ピン１１ｃの位置をずらすだけで柔軟に対応できる。例えば、照明光のケラレ防止効果を高めるべく発光部３１の使用位置を実施形態よりも高くする（回動角を大きくする）場合には、スイッチＳＷのオンタイミングを遅らせればよいので、ピン１１ｃを腕部２３Ｂの回動中心に対して反時計回りにずらした位置に設ければよい。逆に回動角を小さくする場合には、スイッチＳＷのオンタイミングを早めればよいので、ピン１１ｃを時計回りにずらした位置に設ければよい。いずれの場合もヒンジ１１Ｂのみを交換すればよい。
【００１８】
なお以上では、ペンタ部に設けられる内蔵閃光装置にて説明したが、他の位置に配置される閃光装置でもよく、また１本の腕部で発光部を支持するものでもよい。さらに位置検知スイッチを板ばね状の２枚の切片から構成したが、他の構造（例えばブラシ状のもの）でもよい。スイッチ操作機構もヒンジに設けられたピンに限定されない。格納位置でスイッチがオンし、使用位置でスイッチがオフするよう構成してもよい。
【図面の簡単な説明】
【００１９】
【図１】一実施形態における一眼レフカメラの上部構成を示す側面断面図。
【図２】図１の構成をカメラ背面側から見た断面図。
【図３】内蔵閃光装置の位置検知スイッチの構造を説明する斜視図。
【図４】位置検知スイッチの構造を示す側面断面図で、発光部が格納位置にある状態を示す。
【図５】図４と同様の図で、格納位置からある程度回動したときの状態を示す。
【図６】図４と同様の図で、さらに回動したときの状態を示す。
【図７】図４と同様の図で、発光部が使用位置にある状態を示す。
【符号の説明】
【００２０】
１０  カメラ本体
１１  ペンタ部
１１Ａ，１１ｂ  ヒンジ
１１ｃ  スイッチ操作用のピン
２４  ＡＥレンズ
２５  ＡＥユニット
３０  内蔵閃光装置
３１  閃光発光部
３２Ａ，３２Ｂ  腕部
３３  上ケース
３４  下ケース
４１  上側スイッチ切片
４２  下側スイッチ切片
ＳＷ  位置検知スイッチ
【図１】
2005164933.tif 000003
【図２】
2005164933.tif 000004
【図３】
2005164933.tif 000005
【図４】
2005164933.tif 000006
【図５】
2005164933.tif 000007
【図６】
2005164933.tif 000008
【図７】
2005164933.tif 000009